(57)【特許請求の範囲】
【請求項１】
複数本の中空のスティック状体の各々が、互いと結合するためのジョイント部を備え、該ジョイント部は指が挿入可能なリング状部を有する、打撃応援用具。
【請求項２】
複数本の中空のスティック状体の少なくとも一が吹き口と拡声口とを有するメガホンとして構成されており、該スティック状体の各々が、互いと結合するためのジョイント部を備え、該ジョイント部は指が挿入可能なリング状部を有する、打撃応援用具。
【請求項３】
前記ジョイント部が互いに回動自在に組み付けられている、請求項１または請求項２に記載の打撃応援用具。
【請求項４】
前記ジョイント部に前記スティック状体の先端部を常に開く方向に付勢するための付勢手段が取り付けられている、請求項３に記載の打撃応援用具。
【請求項５】
前記ジョイント部が前記スティック状体に対して着脱自在に構成されている、請求項１または請求項２に記載の打撃応援用具。
【発明の詳細な説明】
【技術分野】
【０００１】  本発明はスポーツ等を観戦する際に叩き合って音を出す打撃応援用具に関する。
【背景技術】
【０００２】  従来よりスポーツ観戦にあっては、大声を出しての声援や、太鼓などの打楽器を叩くことなどが行われて来た。またこのために用いるさまざまな応援用具が提案されて来た。【０００３】  例えば実開昭６３−２４６００号は、拡声筒を拍子木として使用することが可能なメガホンであり、半円錐形状の２個の対称形のメガホンを向い合わせ、１点にてヒンジによって開閉自在に連結して成り、拡声器としての利用と共に、２個のメガホンをヒンジから開閉させて、拍子木のように打撃音を発生させることが出来ると言うものである。また特開平８−５０４８８号は、複数個の拡声筒が並設されており、複数個の拡声筒はその後部に共用される１個の吹き口部を有し、複数個の拡声筒は打撃により互いを打ち合うように設けて成るものである。
【先行技術文献】
【特許文献】
【０００４】
【特許文献１】実開昭６３−２４６００号公報
【特許文献２】特開平０８−５０４８８号公報
【発明の概要】
【発明が解決しようとする課題】
【０００５】  上述した実開昭６３−２４６００号も特開平０８−５０４８８号も、ヒンジ的な要素によって拍子木が互いを打ち合うように組み付けられており、大きな打撃音を発して応援に供し得る点で優れたものであったが、その構造も応援の仕方もすでに在り来たりのものとなっており、特段の興趣を惹くものではなくなっている。【０００６】  そこで本発明は、ヒンジ的な要素によって拍子木が互いを打ち合うと言う形態は継承しつつも、応援方法にも幅が出せ、目新しくて興趣をそそるような、そうした打撃応援用具を提供することを課題とする。
【課題を解決するための手段】
【０００７】  当発明者は、スポーツ観戦に於いて新しい発想による応援方法とそれに適う新たな構造や形状を備えた応援用具を提供することが必要であるとの認識に至った。このため本発明は、複数本の中空のスティック状体の各々が互いと結合するためのジョイント部を備え、該ジョイント部は指が挿入可能なリング状部を有する、打撃応援用具とした。また本発明は、複数本の中空のスティック状体の少なくとも一が吹き口と拡声口とを有するメガホンとして構成されており、該スティック状体の各々が互いと結合するためのジョイント部を備え、該ジョイント部は指が挿入可能なリング状部を有する、打撃応援用具とした。上記でスティック状体が複数本であるとは、２以上の本数のスティック状体のことであるが、製造上やコスト面や取扱上のことから鑑みるに、２が好適な本数であると言うことが出来る。またジョイント部のリング状部の数は１のみならず複数個であっても良い。【０００８】  上記ジョイント部で複数本のスティック状体を結合すれば、ジョイント部がリング状部を有しているため、このリング状部に指を掛けることが出来るので、本願打撃応援用具を安定して握ることが出来、不本意に取り落とすことも少なくなる。更にリング状部に通した指を回転軸のようにして、本願打撃応援用具をくるくると回したり、揺動させたりもし得る。更に複数本のスティック状体を結合した状態のままスティック状体を打ち合わせて使用し得るように構成しても良い。なおスティック状体の一が、吹き口と拡声口とを有するメガホンと成っているものでは、本願打撃応援用具をメガホンとして声援を送ることが出来る。【０００９】  本願打撃応援用具で特徴的なのはジョイント部を有していることである。ジョイント部があることによって、複数本のスティック状体をばらばらに分離したり結合したりすることが可能になっている。結合させた状態のことは上述した通りであるが、分離させた状態では次のような使用法が可能になる。すなわち分離させたスティック状体を両手に別々に持てば、左右を叩き合わせて打撃音を発生させて応援することが出来る。この際にリング状部に指を掛けることが出来るので、スティック状体を安定して握ることが出来、不本意に取り落とすことも少ない。分離した各々のスティック状体は、リング状部に指を通してくるくると回転させ、視覚に訴えながら応援することも可能である。これはジョイント部がリング状部を有しているからこそ行い得る操作なのである。このようにリング状部は、本願打撃応援用具に特徴的で目立つデザインであり、上述したような全く新しい作用効果を生んでいる。【００１０】  次に本願打撃応援用具に付いて、前記ジョイント部が互いに回動自在に組み付けられているものとしても良い。本願打撃応援用具はジョイント部で結合させた状態でスティック状体を叩くと、その勢いでスティック状体同士が打ち合うように構成することが可能であるが、ジョイント部でスティック状体を結合した時に回動するような構成もまた面白いものである。この構成では本願打撃応援用具を叩き合わさずとも、一側のスティック状体を持って振るだけで、その反動でスティック状体同士が打ち合って打音を発する作用が見られる。【００１１】  なおこの構��に於いて前記ジョイント部に前記スティック状体の先端部を常に開く方向に付勢するための付勢手段が取り付けられているものとしても良い。ジョイント部で結合させたスティック状体は回動自在であるため、スティック状体間の姿勢がどのようになっているかは、その時々に依る。スティック状体を叩き合わせる方式で良い打撃音を発生させたいとする場合では、スティック状体同士が接触しているよりは、離されていることが重要である。そこでスティック状体の先端部間の距離を常には開く方向に付勢するための一例バネやゴムと言った付勢手段を取り付けることによって、いつでも叩き合わせる際には開いており、従って良く打撃音を響かせることが出来るのである。なおバネの種類として、金属製のコイルバネや合成樹脂製の板バネやゴム製の弾発クッションを例に上げる。後述する実施例で上げる付勢手段はゴムバンドを使用した例である。【００１２】  また本願打撃応援用具に付いて、前記ジョイント部が前記スティック状体に対して着脱自在に構成されているものとしても良い。すなわち複数本のスティック状体をばらばらに分離したり結合したりする時に、ジョイント部−ジョイント部間で着脱自在である場合の他に、ここで言う所のスティック状体−ジョイント部間で着脱自在である場合を上げることが出来る。どちらかと言えば前者の方が、スティック状体とジョイント部との結合部が固定であるために、スティック状体同士を結合させて打撃する際には、打撃部の位置関係が定まるので安定して良いが、後者であっても問題はないことが分かっている。
【発明の効果】
【００１３】  本発明により、複数本のスティック状体を着脱自在に結合するためのジョイント部が、指が挿入可能なリング状部であるような打撃応援用具が提供され、このものは視覚に訴えて興趣をそそり、両手に分けて構えたり、結合させて片手で持ったり、指先でくるくると回して声援するなどと、いろいろな応援方法が可能になっており、所期の目的が達成されている。
【図面の簡単な説明】
【００１４】
【図１】  実施例１のスティック状体１を結合させた状態の説明図である。
【図２】  スティック状体１を分離させた状態の説明図である。
【図３】  （Ａ）（Ｂ）は取付具２の分離・結合状態を表す説明図である。
【図４】  実施例２のスティック状体３の説明図である。
【図５】  取付具４，５の結合状態を表す説明図である。
【図６】  実施例３のスティック状体１を分離させた状態の説明図である。
【図７】  取付具４２，５２の結合状態を表す説明図である。
【図８】  実施例４の説明図である。
【発明を実施するための形態】
【実施例１】
【００１５】  図１乃至図３（Ａ）（Ｂ）は本実施例のスティック状体１を表す。持ち手１０と打撃部１１とから成るＰＰ（ポリプロピレン）製のスティック状体１に、指が挿入可能なリング２１を有するジョイント２０を、その取付具２を持って取り付けて成る。取付具２は円筒状であり、この取付具２がスティック状体１の持ち手１０と打撃部１１との間の部位に挿着されている。【００１６】  図２で２本のスティック状体１が分離されている状態を表す。また図３（Ａ）で取付具２，２が分離した状態を表し、図３（Ｂ）で取付具２，２が結合した状態を表す。２つの取付具２は同一のものであり、互いを受け入れる部位に凸部２３が形成されており、相手に挿入される部位に凹部２２が形成されている。従って（Ａ）の状態から（Ｂ）の状態になるように取付具２，２同士を組み付けると、凸部２３辺りのダンピングによって、凹部２２と凸部２３とが勘合するようになっている。この逆に上記嵌合状態を解除することも可能である。なお上記ダンピングを利用するのではなく、凸部を機械的スイッチ式の手動操作によって凹部から外し得るように構成しても良い。【００１７】  この実施例の使用法であるが、先ず図２のように２つのスティック状体１，１を分離させた状態で、１つずつ両手に持って叩き合わせるようにして打音を発生させる。この際に人差し指をリング２１に通すようにして持ち手１０を握ることが出来る。或いは人差し指をリング２１に通し、人差し指を回転軸のようにしてスティック状体１をくるくると回して声援を送るようにすることも可能である。これは多くの観戦者の視覚に訴えること必至である。【００１８】  次に図１のようにスティック状体１，１をジョイント２０，２０を以て結合一体化させて使用することが出来る。この時にこの実施例では２つのジョイント２０，２０のリング２１，２１が重なり合って１つのリングのように成る。この実施例の打撃応援用具によればこのようにして結合させた状態で持ち手１０を一方の手で持ち、他方の手で打撃部１１を叩いて、打撃部１１，１１同士を打ち合わせて使用することが出来る。なおジョイントを柔らかく構成することで、一方の持ち手１０を持って振るだけでその反動によってスティック状体１，１同士を叩き合わせるようにも構成し得る。なおスティック状体１，１を結合一体化させた状態でも、人差し指をリング２１に通してスティック状体１を回したり揺動させたりし得るのは特筆すべきことである。
【実施例２】
【００１９】  図４はこの実施例のスティック状体３，３をジョイント４０，５０により結合した状態で表す。吹き口３２を開口した持ち手３０と、拡声口３３を開口した拡声筒３１とから成るＰＰ（ポリプロピレン）製のスティック状体３（メガホンとして使用し得る）に、指が挿入可能なリング４１，５１を有するジョイント４０，５０を、その取付具４，５を以て取り付けて成る。図５はこの取付具４，５を組み付けた状態を表すが、取付具４と取付具５とは異なる構成を有する。すなわち２つのジョイント５０，５０を合わせて成る縦断面がエ字形状のジョイントの中央部分に円形のジョイント４０が回動自在に取り付けられており、各々の中程にはリング４１，５１が設けられている。また取付具４と取付具５とは縦断面がＣ字形状を呈しており、このＣ字形状部分のダンピングによって各々スティック状体３の取り付け取り外しが自由に行い得るようになっている。スティック状体３，３の結合・分離はこのＣ字形状部分により行われるのであるが、ジョイント４０，５０で行っているのと何ら変わりがなく同一思想である。【００２０】  この構成によれば２つのスティック状体（メガホン）３，３は取付具４，５により回動自在であり、持ち手３０を一方の手で持ち、他方の手で拡声筒３１を叩いて拡声筒３１，３１同士を打ち合わせて使用したり、一方の持ち手３０を持って振ることでその反動によりスティック状体３，３同士を叩き合わせたりして使用する。なお拡声筒３１の側が常に開いているようにしたい場合には、例えば図４で鎖線で表すように、２つの持ち手３０，３０にゴムバンド６を掛け渡して、２つの拡声筒３１，３１が常に開く方向に付勢するように構成すれば良い。【００２１】  この実施例によれば、２つのスティック状体３，３は各々メガホンとして使用することが出来るので、取付具４，５により結合した状態で使用しても良いし、２つのスティック状体３，３に分離して２人で使用するようにしても良い。この他、スティック状体３，３を分離した状態での使用法は上述した実施例１のそれに倣う。
【実施例３】
【００２２】  図６は実施例３のスティック状体（メガホン）３４，３４をジョイント４４，５４によって分離した状態で表わす。各々のスティック状体３４は、ＡＢＳ（アクリロニトリルブダジエンスチレン）製の中空の持ち手３５と、ＰＥＴ（ポリエチレンテレフタレート）製の中空の拡声筒３８とから成る。持ち手３５はその前部に接続口３６が形成されており、後部に吹き口３７が形成されている。また拡声筒３８はその前部に拡声口３００が形成されており、後部に挿着部３９が形成されている。この拡声筒３８は挿着部３９を以て持ち手３５の接続口３６に挿着される。またスティック状体３４，３４の一方にはその持ち手３５の側面部に固着された取付具４２にジョイント４３がねじ止めされており、他方にはその持ち手３５の側面部に固着された取付具５２にジョイント５３がねじ止めされている。そしてジョイント４３，５３にリング４４，５４が形成されている。なお本実施例ではこれ等の部品は、ジョイント４３，５３の着脱が円滑に行い得るようにする目的で、また強度が得られるようにする目的で、ＰＯＭ（ポリアセタール）製のものが使用されている。【００２３】  ところで本実施例では、２つの拡声筒３８，３８を常に開く方向に付勢すべく、図７に表すようにジョイント４３内に鎖線で示すコイルバネ６０を納めており、コイルバネ６０の一側の端部を掛止部６１としてジョイント４３側に掛止させ、他側の端部を掛止部６２としてジョイント５３側に掛止させている。そしてジョイント５３側に掛止させる掛止部６２に付いては、ジョイント４３，５３の解除の際に掛止部６２をコイルバネ６０方向に後退させる必要から、コイルバネ６０を押すためのプッシュボタン６３がジョイント５３に取り付けられている。このコイルバネ６０の作用によってジョイント４３とジョイント５３とが捩じる方向に回動すると、これを引き戻すように作用する。なおジョイント４３とジョイント５３との分離に際しては、上記プッシュボタン６３を押しながら両者を引き離すように操作すれば良い。
【実施例４】
【００２４】  図８は実施例４のスティック状体７，７’を取付具８によって結合した状態で表わす。ただしこの実施例でのスティック状体７，７’は、一方のスティック状体７が持ち手７０と打撃部７１とから成るものであるのに対して、他方のスティック状体７’が吹き口４２を開口した持ち手７２と拡声口７５を開口した拡声筒７３とから成るものである点に特徴を有する。【００２５】  この２種のスティック状体７，７’を着脱自在にする部位の取付具８，８に付いては、上述した実施例２の取付具４，５と同様に縦断面がＣ字形状を呈しており、このＣ字形状部分のダンピングによって各々スティック状体７，７’の取り付け取り外しが自由に行い得るようになっている。また取付具８，８を繋ぐジョイント８０に、この実施例の特徴である２つのリング８１，８２が設けられている。【００２６】  従って、２種のスティック状体７，７’を結合した状態で、何れのリング８１，８２を用いて人差し指を通して、人差し指を回転軸のようにしてスティック状体７，７’をくるくると回させることが出来るのであるが、この回転は上述の実施例１，２のそれとは幾分見た感じが異なるものとなる。【００２７】  スティック状体７，７’を分離した状態で、打撃部７１と拡声筒７３とを打ち合わせて使用することが出来る。この場合スティック状体７，７’の何れか一側に上記取付具８，８を残してリング８１またはリング８２を以て回転させて楽しく応援することが出来る。また２つのリング８１，８２の何れに人差し指を通すかによって、回転するスティック状体の見た感じが異なるのもこの実施例の特徴である。なおジョイント８０に２つのリング８１，８２が直列に設けられているが、これ等を並列に設ける実施例も可能である。【００２８】  さて本発明は上述した実施例に限定されることなく、その思想の範囲内に於いて自由に構成して良い。例えばスティック状体の本数は、ジョイント部で結合分離可能に構成して３本４本と増やすことが可能である。またその材質も上掲の合成樹脂材料に限定されず、例えばポリエチレンを使用するなど任意であり、合成樹脂以外にも例えば木製、金属製、紙製（紙筒など）が自由に選択可能である。またその形状も円筒形に限られることなく、横断面が角丸方形であったりして良い。従って仮にスティック状体が２本であるとして、各々が異なる材質の異なる形状のものとして組み合わせることが出来る。また透明不透明なども自由に決定して良い。またジョイント部に関しても形状や材質やジョイント方式など任意に設計し得る。またリング状部の形状は真円に限定されず、楕円などであっても良い。また回転させやすくすべく、リング状部の内周部にベアリングを設けるなどの工夫も可能である。また首や手に掛けるための紐を付属させるようにすると便利である。この他本発明を構成する各部品、すなわち実施例１であるならばスティック状体１、取付具２、ステッカーなどの所要部品を揃えた組み立てキットとして提供することが出来る。
【産業上の利用可能性】
【００２９】  本発明の権利は、スポーツ観戦用のものに限定されない。例えばコンサートホール用のものを提供することが可能である。またスティック状体の内部にＬＥＤと電池とスイッチとから成る照明器具を組み込むようにしても良い。また打楽器の分野にも道を拓くものとなり得る。
【符号の説明】
【００３０】１    スティック状体  １０  持ち手          １１  打撃部
２    取付具          ２０  ジョイント      ２１  リング    ２２  凹部
２３  凸部
３    スティック状体  ３０  持ち手          ３１  拡声筒    ３２  吹き口
３３  拡声口          ３４  スティック状体  ３５  持ち手    ３６  接続口
３７  吹き口          ３８  拡声筒          ３９  挿着部    ３００拡声口
４    取付具          ４０  ジョイント      ４１  リング    ４２  取付具
４３  ジョイント      ４４  リング
５    取付具          ５０  ジョイント      ５１  リング    ５２  取付具
５３  ジョイント      ５４  リング
６    ゴムバンド      ６０  コイルバネ      ６１  掛止部    ６２  掛止部
６３  プッシュボタン
７    スティック状体  ７’  スティック状体  ７０  持ち手    ７１  打撃部
７２  持ち手          ７３  拡声筒          ７４  吹き口    ７５  拡声口
８    取付具          ８０  ジョイント      ８１  リング    ８２  リング
【図１】
0006547108.tif 000002
【図２】
0006547108.tif 000003
【図３】
0006547108.tif 000004
【図４】
0006547108.tif 000005
【図５】
0006547108.tif 000006
【図６】
0006547108.tif 000007
【図７】
0006547108.tif 000008
【図８】
0006547108.tif 000009